(57)【要約】【課題】意匠性が良く、高級感がある樹脂層を基礎部材とする積層体で形成された玩具用カードとその製造方法。【解決手段】  玩具用カードであって、一方の面２０ｆが面状に発光する平板形状の面発光装置２０と、前記面発光装置２０の他方の面２０ｂに取り付けられ、非接触状態で電力を受けて前記面発光装置に前記電力を供給するための受電コイル３１を構成するアンテナシート３０と、前記面発光装置２０の前記一方の面に取り付けられ、絵画、写真、図形、記号、文字及びキャラクターから選択される１種以上を含む模様が印刷され、全部又は一部が光を透過するように透明又は半透明である透過部４１を有する表面シート４０とから構成されていることを特徴とする玩具用カード。【選択図】図４
2016030216.tif 000002
【特許請求の範囲】
【請求項１】
玩具用カードであって、
一方及び／又は他方の面が面状に発光する平板形状の面発光装置（２０、１２０、２２０、３２０、４２０）と、
前記面発光装置の前記一方の面に貼り合わせられ、絵画、写真、図形、記号、文字及びキャラクターから選択される１種以上を含む模様が記載又は現わされ、全部又は一部が光を透過するように透明又は半透明である透過部（４１）を有する表面シート（４０）と、
前記面発光装置に取り付けられ、外部に設けられた送電コイルから送電される電力を接触又は非接触で受電し、前記面発光装置に前記電力を供給する受電コイルを有するアンテナシート（３０、３２６、４２６）とから構成されている
ことを特徴とする玩具用カード。
【請求項２】
玩具用カードであって、
一方及び／又は他方の面が面状に発光する平板形状の面発光装置（５２０）と、
前記面発光装置の前記他方の面に貼り合わせられ、絵画、写真、図形、記号、文字及びキャラクターから選択される１種以上を含む模様が記載又は現わされている印刷シート（５４０）と、
前記印刷シートに取り付けられ、外部に設けられた送電コイルから送電される電力を接触又は非接触で受電し、前記面発光装置に前記電力を供給する受電コイルを有するアンテナシート（３０）とから構成されている
ことを特徴とする玩具用カード。
【請求項３】
玩具用カードであって、
一方及び／又は他方の面が面状に発光する平板形状の面発光装置（６２０）と、
前記面発光装置に記載又は現わされ、絵画、写真、図形、記号、文字及びキャラクターから選択される１種以上を含む模様からなる模様部（６４０）と、
前記面発光装置に取り付けられ、外部に設けられた送電コイルから送電される電力を接触又は非接触で受電し、前記面発光装置に前記電力を供給する受電コイルを有するアンテナシート（３０）とから構成されている
ことを特徴とする玩具用カード。
【請求項４】
請求項１〜３のいずれか１項に記載された玩具用カードであって、
前記受電コイルは、前記アンテナシートに金属をエッチング、メッキ、電鋳、印刷又は蒸着から選択される少なくとも１つの方法で形成されている
ことを特徴とする玩具用カード。
【請求項５】
請求項４に記載された玩具用カードであって、
前記受電コイルは、
電磁誘導方式、電波受信方式又は共鳴方式から選択される少なくとも１つの方式で前記送電コイルから前記電力を受電する
ことを特徴とする玩具用カード。
【請求項６】
請求項５に記載された玩具用カードであって、
前記面発光装置は、
前記受電コイルと電気的に接続された一又は複数の光源と、
前記光源から発光された光を反射する複数のドットからなるドットパターンが一方又は他方の面に取り付けられ、一方及び／又は他方の面が面状に発光する導光シートとから構成されている
ことを特徴とする玩具用カード。
【請求項７】
請求項６に記載された玩具用カードであって、
前記光源は、可視光を発光する可視光光源及び／又は不可視光を発光する不可視光光源である
ことを特徴とする玩具用カード。
【請求項８】
請求項７に記載された玩具用カードであって、
前記模様は、全部又は一部が前記不可視光を照射すると発光する不可視光インキで印刷されている
ことを特徴とする玩具用カード。
【請求項９】
請求項６〜８のいずれか１項に記載された玩具用カードであって、
前記ドットは、射出成形で前記導光シートと一体に形成された微細なレンズ形状で取り付けられている
ことを特徴とする玩具用カード。
【請求項１０】
請求項６〜８のいずれか１項に記載された玩具用カードであって、
前記ドットは、前記導光シートに蛍光インキ、発光インキ及び蓄光インキから選択されるいずれか１のインキが印刷されて取り付けられている
ことを特徴とする玩具用カード。
【請求項１１】
請求項６〜１０のいずれか１項に記載された玩具用カードであって、
前記光源を覆うように前記面発光装置に取り付けられ、前記光源から発光された光を遮る遮光部材が設けられている
ことを特徴とする玩具用カード。
【請求項１２】
請求項６〜１１のいずれか１項に記載された玩具用カードであって、
前記面発光装置は、
前記導光シートの一方の面又は他方の面に設置され、前記導光シートの一方の面又は他方の面から漏れる光を前記導光シート側に反射する反射シートとが設けられている
ことを特徴とする玩具用カード。
【請求項１３】
請求項６〜１２のいずれか１項に記載された玩具用カードであって、
前記面発光装置は、
前記導光シートの一方の面又は他方の面に設置され、前記導光シートの一方の面又は他方の面から照射される光を集光する一又は複数の集光シートとが設けられている
ことを特徴とする玩具用カード。
【請求項１４】
請求項１３に記載された玩具用カードであって、
前記面発光装置は、
前記導光シートと前記集光シートとの間に設置され、前記導光シートから照射される光を拡散させて、光の均一性を向上させる拡散シートが設けられている
ことを特徴とする玩具用カード。
【請求項１５】
請求項１〜１４のいずれか１項に記載された玩具用カードであって、
合成樹脂製で平板形状に形成され、前記面発光装置を収納する収納空間が区画された本体シートを有し、
前記収納空間の内形寸法は、前記面発光装置の外形寸法と同一又は略同一に形成されている
ことを特徴とする玩具用カード。
【請求項１６】
請求項１５に記載された玩具用カードであって、
前記本体シートは、溶融した合成樹脂をシート状に押し出して成形する押出成形により製造され、
前記押出成形後の完全に硬化していない未硬化状態の前記本体シートに、前記表面シート及び前記アンテナシートを加圧して貼り合わせられている
ことを特徴とする玩具用カード。
【発明の詳細な説明】
【技術分野】
【０００１】
本発明は、玩具用カードに関する。さらに詳しくは、積層された合成樹脂からなるカード本体に面発光装置が備え付けられている玩具用カードに関する。
【背景技術】
【０００２】
玩具用カードは、トレーディングカードやコレクタブルカードと呼ばれて、老若男女を問わず収集、鑑賞の対象となっている。玩具用カードには、絵画、写真、図形、記号、文字及びキャラクターその他の模様が記載又は現わされている。例えば、玩具用カードには、プロスポーツ選手、タレント、アイドル、女優又は男優等の写真が現わされているものがある。また、玩具用カードには、アニメや漫画のキャラクターが記載されているものがある。
【０００３】
さらに、玩具用カードには、トレーディングカードゲームやコレクタブルカードゲーム等のゲームに使用されるものもある。つまり、これらのゲームに登場するキャラクターとそのパラメータ等が記載されたものがある。このような、玩具用カードは、内容が判別されないようにビニールパックやアルミパック等の袋に、一又は複数枚詰められて販売されている。袋に入れられる玩具用カードには、レギュラーカード、インサートカード、レアカード、メモラビリア（memorabilia）カード等の種類のカードが詰められている。
【０００４】
インサートカード、レアカード又はメモラビリアカードは、一般的なレギュラーカードに対する特別な存在のカードとして、意図的、計画的に出現率を減らしたカードである。これらの特別な存在のカードには、希少性の高さを表現するため、レギュラーカードとは別の加工が施されている。例えば、インサートカードやレアカードには、表面又は底面がキラキラするようにホログラムが印刷されたり、金銀の箔押し加工が施されたものがある。
【０００５】
このような特別な存在の玩具用カードは、特に収集価値が高いものとされており、購買意欲の促進に繋がっている。しかし、ホログラムが印刷された玩具用カードや金銀の箔押しがされた玩具用カードは、他の光源等から発光された光を反射するものであり、玩具用カードそのものが発光するわけではない。近年、さらなる価値感を玩具用カードに持たせるために、玩具用カード自体が発光するものが提案されている。
【０００６】
このように、玩具用カードにはさまざまな提案がなされているが、特許文献を基に従来の技術を説明する。例えば、それぞれ回路の一部を有し、トレーディングカードがゲームカードに挿入されると、回路が完成し、ゲームカード上の４つの発光ダイオードのうちの一つが点灯するゲームカード、カードシステム、ゲーム及び製造方法（特許文献１参照）が知られている。また、反りのない表示機能付き情報媒体及び表示機能付き情報媒体の製造方法が知られている（特許文献２参照）。
【先行技術文献】
【特許文献】
【０００７】
【特許文献１】特許第４９９９７０３号公報
【特許文献２】特開２００５−１１１９０号公報
【発明の概要】
【発明が解決しようとする課題】
【０００８】
しかし、特許文献１に記載されたゲームカードは、このゲームカードは、点光源であるＬＥＤが光源であるため、発光が単調で面白みに欠けるという問題点があった。また、積層電池を電源自体に備えなければならず、カードの構造が複雑になってしまう上にカード自体が重くなってしまうという問題があった。
【０００９】
特許文献２に記載されたトレーディングカードは、薄く破損しやすいセンターシートに複数の開口を設けなければならず、これらに表示モジュールとＩＣモジュールを嵌め込まなければならない。つまり、製造工程において、センターシートが破損しやすいうえに製造工程が複雑になってしまうという問題があった。
【００１０】
本発明は、以上のような従来の問題点を解決するために創作されたもので、次の目的を達成する。本発明の目的は、面光源による意匠性に優れた様々な視覚的表現が可能な玩具用カードを提供することにある。本発明の他の目的は、構造が簡単で製造工程が少なく、簡便かつ短時間で製造できる玩具用カードを提供することにある。
【課題を解決するための手段】
【００１１】
本発明は、前記目的を達成するために次の手段をとる。
本発明１の玩具用カードは、一方及び／又は他方の面が面状に発光する平板形状の面発光装置と、前記面発光装置の前記一方の面に貼り合わせられ、絵画、写真、図形、記号、文字及びキャラクターから選択される１種以上を含む模様が記載又は現わされ、全部又は一部が光を透過するように透明又は半透明である透過部を有する表面シートと、前記面発光装置に取り付けられ、外部に設けられた送電コイルから送電される電力を接触又は非接触で受電し、前記面発光装置に前記電力を供給する受電コイルを有するアンテナシートとから構成されていることを特徴とする玩具用カード。
【００１２】
本発明２の玩具用カードは、一方及び／又は他方の面が面状に発光する平板形状の面発光装置と、前記面発光装置の前記他方の面に貼り合わせられ、絵画、写真、図形、記号、文字及びキャラクターから選択される１種以上を含む模様が記載又は現わされている印刷シートと、前記印刷シートに取り付けられ、外部に設けられた送電コイルから送電される電力を接触又は非接触で受電し、前記面発光装置に前記電力を供給する受電コイルを有するアンテナシートとから構成されていることを特徴とする玩具用カード。
【００１３】
本発明３の玩具用カードは、一方及び／又は他方の面が面状に発光する平板形状の面発光装置と、前記面発光装置に記載又は現わされ、絵画、写真、図形、記号、文字及びキャラクターから選択される１種以上を含む模様からなる模様部と、前記面発光装置に取り付けられ、外部に設けられた送電コイルから送電される電力を接触又は非接触で受電し、前記面発光装置に前記電力を供給する受電コイルを有するアンテナシートとから構成されていることを特徴とする。
【００１４】
本発明４の玩具用カードは、本発明１〜３のいずれかにおいて、前記受電コイルは、前記アンテナシートに金属をエッチング、メッキ、電鋳、印刷又は蒸着から選択される少なくとも１つの方法で形成されていることを特徴とする。
【００１５】
本発明５の玩具用カードは、本発明４において、前記受電コイルは、電磁誘導方式、電波受信方式又は共鳴方式から選択される少なくとも１つの方式で前記送電コイルから前記電力を受電することを特徴とする。
【００１６】
本発明６の玩具用カードは、本発明５において、前記面発光装置は、前記受電コイルと電気的に接続された一又は複数の光源と、前記光源から発光された光を反射する複数のドットからなるドットパターンが一方又は他方の面に取り付けられ、一方及び／又は他方の面が面状に発光する導光シートとから構成されていることを特徴とする。
【００１７】
本発明７の玩具用カードは、本発明６において、前記光源は、可視光を発光する可視光光源及び／又は不可視光を発光する不可視光光源であることを特徴とする。
【００１８】
本発明８の玩具用カードは、本発明７において、前記模様は、全部又は一部が前記不可視光を照射すると発光する不可視光インキで印刷されていることを特徴とする。
【００１９】
本発明９の玩具用カードは、本発明６〜８のいずれかにおいて、前記ドットは、射出成形で前記導光シートと一体に形成された微細なレンズ形状で取り付けられていることを特徴とする。
【００２０】
本発明１０の玩具用カードは、本発明６〜８のいずれかにおいて、前記ドットは、前記導光シートに蛍光インキ、発光インキ及び蓄光インキから選択されるいずれか１のインキが印刷されて取り付けられていることを特徴とする。
【００２１】
本発明１１の玩具用カードは、本発明６〜１０のいずれかにおいて、前記光源を覆うように前記面発光装置に取り付けられ、前記光源から発光された光を遮る遮光部材が設けられていることを特徴とする。
【００２２】
本発明１２の玩具用カードは、本発明６〜１１のいずれかにおいて、前記面発光装置は、前記導光シートの一方の面又は他方の面に設置され、前記導光シートの一方の面又は他方の面から漏れる光を前記導光シート側に反射する反射シートとが設けられていることを特徴とする。
【００２３】
本発明１３の玩具用カードは、本発明６〜１２のいずれかにおいて、前記面発光装置は、前記導光シートと前記集光シートとの間に設置され、前記導光シートから照射される光を拡散させて、光の均一性を向上させる拡散シートが設けられていることを特徴とする。
【００２４】
本発明１４の玩具用カードは、本発明１３において、前記面発光装置は、前記導光シートと前記集光シートとの間に設置され、前記導光シートから照射される光を拡散させて、光の均一性を向上させる拡散シートが設けられていることを特徴とする。
【００２５】
本発明１５の玩具用カードは、本発明１から１４のいずれかにおいて、合成樹脂製で平板形状に形成され、前記面発光装置を収納する収納空間が区画された本体シートを有し、前記収納空間の内形寸法は、前記面発光装置の外形寸法と同一又は略同一に形成されていることを特徴とする。
【００２６】
本発明１６の玩具用カードは、本発明１５において、前記本体シートは、溶融した合成樹脂をシート状に押し出して成形する押出成形により製造され、前記押出成形後の完全に硬化していない未硬化状態の前記本体シートに、前記表面シート及び前記アンテナシートを加圧して貼り合わせられていることを特徴とする。
【発明の効果】
【００２７】
本発明の玩具用カードは、軽く丈夫であるうえに、面光源による意匠性に優れた様々な視覚的表現が可能になった。また、本発明の玩具用カードは、構造が簡単で製造工程が少なく、簡便かつ短時間で製造が可能になった。
【図面の簡単な説明】
【００２８】
【図１】図１は、本発明の実施の形態１を適用した玩具用カード１の外観図である。
【図２】図２（ａ）は、玩具用カード１の表面を現わした図であり、図２（ｂ）は、玩具用カード１の底面を現わした図である。
【図３】図３は、図２（ａ）をα−α線で切断して拡大した状態を示す拡大断面図である。
【図４】図４は、図２（ａ）をβ−β線で切断して拡大した状態を示す拡大断面図である。
【図５】図５は、図４に示す玩具用カード１を分解した断面の状態を示す分解図である。
【００２９】
【図６】図６は、図１に示す玩具用カード１が分解された外観の状態を示す分解図である。
【図７】図７は、図６に示す面発光装置２０が分解された外観の状態を示す分解図である。
【図８】図８は、玩具用カード１の内部を移動する光の軌跡を描いた説明図である
【図９】図９は、本発明の実施の形態２の玩具用カード１０１の内部を移動する光の軌跡を描いた説明図である
【図１０】図１０は、本発明の実施の形態３の玩具用カード２０１の断面図であり、実施の形態１の図４に相当する断面図である。
【００３０】
【図１１】図１１は、玩具用カード２０１が分解された外観の状態を示す外観図である。
【図１２】図１２は、本発明の実施の形態４の玩具用カード３０１の断面図であり、実施の形態１の図４に相当する断面図である。
【図１３】図１３は、玩具用カード３０１が分解された外観の状態を示す分解図である。
【図１４】図１４は、図１３に示す面発光装置３２０が分解された外観の状態を示す分解図であり、実施の形態１の図７に相当する図である。
【図１５】図１５は、本発明の実施の形態５の玩具用カード４０１の断面図であり、実施の形態１の図４に相当する断面図である。
【００３１】
【図１６】図１６は、実施の形態６の玩具用カード５０１の表面を現わした図である。
【図１７】図１７は、玩具用カード５０１が分解された外観の状態を示す分解図である。
【図１８】図１８は、図１６をγ−γ線で切断して拡大した状態を示す拡大断面図である。
【図１９】図１９は、図１８のＲ１部分を拡大した一部拡大断面図である。
【図２０】図２０は、図１８のＲ２部分を拡大した一部拡大断面図である。
【００３２】
【図２１】図２１（ａ）は、玩具用カード６０１の表面を現わした図であり、図２１（ｂ）は、玩具用カード６０１を使用した状態を現わした図である。
【図２２】図２２は、図２１（ａ）をδ−δ線で切断して拡大した状態を示す拡大断面図である。
【図２３】図２３は、面発光装置６２０の底面の一部を拡大した状態を示す拡大図である。
【図２４】図２４は、図２３をε−ε線で切断した状態を示す断面図である。
【発明を実施するための形態】
【００３３】
〔本発明の実施の形態１〕
以下、本発明の玩具用カード１について、図面に基づいて、本発明の実施の形態１として詳細に説明する。図１は、本発明の実施の形態１を適用した玩具用カード１の外観図である。図２（ａ）は、玩具用カード１の表面を現わした図であり、図２（ｂ）は、玩具用カード１の底面を現わした図である。図３は、図２（ａ）をα−α線で切断して拡大した状態を示す拡大断面図である。図４は、図２（ａ）をβ−β線で切断して拡大した状態を示す拡大断面図である。
【００３４】
図５は、図４に示す玩具用カード１を分解した状態を示す分解図である。図６は、図１に示す玩具用カード１が分解された状態を示す分解図である。図７は、図６に示す面発光装置２０が分解された状態を示す分解図である。なお、図３、４及び５は、断面の状態をわかりやすく厚みをもたせた模式的な図で記載している。
【００３５】
図１に示すように、矢印Ｆ方向を前方向とし、その逆方向である矢印Ｂ方向を後方向として説明を行う。水平面内で前後方向と直交する一の方向である矢印Ｌ方向を左方向とし、直交する他の方向である矢印Ｒ方向を右方向として説明を行う。前後方向及び左右方向と直交する上側の方向である矢印Ｕ方向を上方向とし、下側の方向である矢印Ｄ方向を下方向として説明を行う。各シートの上方向側の面を表面として、その逆方向である下方向側の面を底面として説明する。
【００３６】
図１に示すように、玩具用カード１は、本例では幅寸法が約５３．０ｍｍ、縦寸法が９５．０ｍｍ、肉厚が約３．０ｍｍであり、所定の厚みをもつ略四角形の平板形状に形成されたものである。玩具用カード１は、いわゆるトレーディングカードゲーム用のカードである。図２（ａ）に示すように、玩具用カード１は、表面にキャラクター等が記載され、その名称、ランク、ステータス、説明等の情報が記載されている。玩具用カード１には、他に、属性、レベル、種族等の情報について記載されたものでもよい。
【００３７】
図２（ｂ）に示すように、玩具用カード１は、底面に紋章が模様として現わされている。本例において、玩具用カード１の底面には他の玩具用カード１と共通の紋章が現わされているが、複数枚用意された玩具用カード１の底面は、必ずしも同一の紋章が現わされていなくても良い。図３及び４に示すように、玩具用カード１は積層体であり、面発光装置２０、アンテナシート３０、表面シート４０及び裏面シート５０、遮光両面テープ６０とから構成されている。
【００３８】
〔面発光装置２０〕
面発光装置２０は、光源であるＬＥＤ２１から発光された光を表面シート４０に効率よく照射するための装置である。図７に示すように、面発光装置２０は、いわゆるエッジライト方式の発光装置であり、ＬＥＤ２１、基板２２、導光シート２３、反射シート２４、集光シート２５とから構成されている。本例において、面発光装置２０は、幅寸法が約５３ｍｍ、縦寸法が９５ｍｍの大きさのものを使用した。面発光装置２０は、図４乃至７に示すように、上から集光シート２５、導光シート２３及び反射シート２４の順番に積層されている。本例の面発光装置２０は、表面２０ｆ側は発光するが、底面２０ｂ側は発光しない片面発光型である。
【００３９】
ＬＥＤ２１は、面発光装置２０の光源であり、可視光を発光する発光ダイオード（light emitting diode）である。図７に示すように、ＬＥＤ２１は、細長い板状に形成された基板２２に所定の間隔で４つ取り付けられている。基板２２は、図４に示すように、導光シート２３の一の側面に沿うように設置されている。ＬＥＤ２１は、導光シート２３の一の側面と向かいあうように基板２２に設置されている。基板２２は、電源線等でアンテナシート３０に取り付けられた受電コイル３１に接続されている（図示せず）。
【００４０】
導光シート２３は、その側面に設置されたＬＥＤ２１から発光された光を表面シート４０側へ照射するためのシートである。導光シート２３は、幅寸法が約５３．０ｍｍ、縦寸法が９２．０ｍｍの大きさの略矩形形状の透明なアクリル樹脂の平板から形成されている。導光シート２３の底面には、導光シート２３を平面光源化するためのドットパターンが形成されている。ドットパターンは、ＬＥＤ２１から照射された光を集光シート２５側に反射して、導光シート２３を平面光源化する。本例において、ドットパターンは、射出成形で製造される導光シート２３に一体のドットの集りで形成されている（図示せず）。
【００４１】
ドットは、導光シート２３の底面から下方向側に突出するように形成された微細な半円球形状のレンズ型に形成されている。例えば、ドットパターンは、ＬＥＤ２１に近い部分では、ドットが疎らになるように設置されている。また、ドットパターンは、ＬＥＤ２１より離れた部分では、ドットが密になるように、設置されている。このようにドットパターンが設置されていることにより、導光シート２３には光が効率良く均一に行き渡り、導光シート２３が平面光源化する。なお、導光シート２３に設置されるドットの径は、例えば、ＬＥＤ２１に近い部分では小さくし、離れている部分では大きくしても良い。
【００４２】
なお、導光シート２３に形成するドットパターンは、他の方式で形成されていても良い。例えば、導光シート２３の底面にスタンパーやインジェクションで凹凸をつける成形方式でも良い。また、導光シート２３と反射シート２４をドット状の粘着剤で貼り付けた粘着ドット方式等の方式で形成されていても良い。さらに、ドットパターンは、白色インクで反射ドットを導光シート２３の底面に印刷したシルク印刷方式で形成されても良い。
【００４３】
反射シート２４は、導光シート２３の底面から外部に漏れる光を反射して、再び導光シート２３に戻すためのシートである。反射シート２４は、幅寸法が約５３．０ｍｍ、縦寸法が９５．０ｍｍの大きさの略矩形形状のアルミニウム板又は箔から形成されている。反射シート２４は、その幅寸法と縦寸法が導光シート２３と同一であり、導光シート２３の底面全体を覆うように設置されている。反射シート２４は、アルミニウムではなく、光の反射の効率等に応じてポリエステルフィルム等の他の部材であっても良い。
【００４４】
集光シート２５は、導光シート２３から照射される光を一の方向に集めて、表面シート４０に光を効率よく照射するための透明なシートである。集光シート２５は、導光シート２３の表面全体を覆うように設置されている。集光シート２５は、微細な三角柱が並列するように形成されているアクリル樹脂製のプリズムシート等から構成されている（図示せず）。このような集光シート２５は、２枚のプリズムシートの三角柱が交差するように重ねたものでも良い。なお、集光シート２５は、微細な三角柱が並列されたものに限らず、微細な楕円柱が並列されているもの等でも良い。
【００４５】
〔アンテナシート３０〕
アンテナシート３０は、いわゆる非接触給電により電力を受けるためのシートであり、ポリプレピレン等の合成樹脂製のシートで形成されている。アンテナシート３０は、図４に示すように、面発光装置２０の底面２０ｂ側に接着剤や粘着剤で貼り合わせられている。アンテナシート３０は、幅寸法が約５３．０ｍｍ、縦寸法が９５．０ｍｍ、肉厚が約０．４ｍｍの平板形状に形成されている。アンテナシート３０には、図６に示すように、所定の巻数だけ螺旋状又は渦巻き状に巻かれるように形成されている受電コイル３１が取り付けられている。
【００４６】
受電コイル３１は、非接触給電により電力を受電するように構成されたコイルである。受電コイル３１は、外部に設けられた電源から電力を受けて送電を行う送電コイル（図示せず）に接触又は非接触で受電する。図６に示すように、本例では、受電コイル３１は、アンテナシート３０の表面に金属（例えば、銀）を蒸着させ、それを切り取って、渦巻き状に形成している。
【００４７】
なお、受電コイル３１は、アンテナシート３０に初めから渦巻き状に蒸着させても良い。また、受電コイル３１は、巻線工法、印刷工法又はエッチング工法等の他の工法によりアンテナシート３０に形成しても良い。さらに、受電コイル３１は、超音波でアンテナシート３０に直接埋め込んでも良い。
【００４８】
〔表面シート４０〕
表面シート４０は、玩具用カード１の表面側を装飾するためのシートであり、ポリプロピレン等の合成樹脂性のフィルムで形成されている。表面シート４０は、図４に示すように、面発光装置２０に遮光両面テープ６０で貼り合わされている。表面シート４０は、幅寸法が約５３．０ｍｍ、縦寸法が９５．０ｍｍ、肉厚が約０．３ｍｍの平板形状に形成されている。表面シート４０は、その幅寸法と縦寸法が面発光装置２０と同一であり、面発光装置２０の表面全体を覆うように、貼り合わせられている。
【００４９】
表面シート４０は、図１、２及び６に示すように、模様が記載されており、その模様に応じて、透過部４１と非透過部４２とが形成されている。透過部４１は、発光した面発光装置２０からの光を透過する透明又は半透明の部位である。非透過部４２は、発光した面発光装置２０からの光が透過しない部位である。本例においては、図１、２及び６に示すように、表面シート４０には、魔法使いが雷の魔法を使う模様が記載されており、雷の模様の部分が透過部４１とされている。
【００５０】
〔裏面シート５０〕
裏面シート５０は、玩具用カード２０１を装飾するためのシートであり、ポリプロピレン等の合成樹脂性のフィルムで形成されている。裏面シート５０は、図４に示すように、アンテナシート３０に接着剤や粘着剤で貼り合わされている。裏面シート５０は、幅寸法が約５３．０ｍｍ、縦寸法が９５．０ｍｍ、肉厚が約０．３ｍｍの平板形状に形成されている。
【００５１】
裏面シート５０は、その幅寸法と縦寸法がアンテナシート３０と同一であり、アンテナシート３０の底面全体を覆うように、貼り合わせられている。裏面シート５０は、光を透過しないフィルムであり、図２（ｂ）に示すように、底面には紋章等の模様が記載されており、図６に示すように、表面は無地である。裏面シート５０とアンテナシート３０とは、接着剤や粘着剤で貼り合わせられている。
【００５２】
〔遮光両面テープ６０〕
遮光両面テープ６０は、ＬＥＤ２１から発光された光を遮るとともに、面発光装置２０と表面シート４０を貼り合わせるための粘着テープである。また、遮光両面テープ６０は、ＬＥＤ２１からの照射角が狭いために生じる暗部（輝度ムラ）を隠すために取り付けられる。遮光両面テープ６０は、図４及び５に示すように、ＬＥＤ２１の上方向側を覆うように形成されている。
【００５３】
遮光両面テープ６０は、図６に示すように、面発光装置２０と表面シート４０の輪郭を縁取るように形成されている。遮光両面テープ６０は、ＬＥＤ２１が発光した光を遮って、光源であるＬＥＤ２１の位置を視認しづらくするために設置されている。遮光両面テープ６０は、光を吸収又は反射する ＰＥＴフィルム等とアクリル系粘着剤から構成されている。
【００５４】
〔玩具用カード１の使用方法〕
次に、玩具用カード１の使用方法について図８に基づいて説明する。図８は、玩具用カード１の内部を移動する光の軌跡を描いた説明図である。なお、図８は、断面の状態をわかりやすく厚みをもたせた模式的な図で記載している。玩具用カード１は、例えばゲームテーブルに取り付けられた送電コイルに発生している交流磁界を利用して、接触又は非接触で電磁誘導現象によって発光する。
【００５５】
つまり、詳しく説明すると、ゲームテーブルは、電源をＯＮにすることで送電コイルに電力が供給され、交流磁界が発生する。玩具用カード１を、ゲームテーブルに発生した交流磁界に近づけると、受電コイル３１に交流電圧が発生する。この交流電圧は、基板２２に設けられた整流素子で直流に変換された後にＬＥＤ２１に供給され、図８に示すように、ＬＥＤ２１が発光する。
【００５６】
図８に示すように、導光シート２３の一の側面から入射した光は、導光シート２３の内部で表面側と底面側に向かう。導光シート２３の底面側に照射された光は、ドットパターンで反射されて、導光シート２３の表面側に向かう。また、ドットパターンをすり抜けて導光シート２３より漏れた光は、反射シート２４で反射されて、導光シート２３の表面側に向かう。このように、ＬＥＤ２１の光は、導光シート２３の内部で反射を繰り返し、導光シート２３の表面が全面にわたって発光する。
【００５７】
導光シート２３の表面から発光される光は、様々な方向を向いた状態で集光シート２５に照射される。集光シート２５に入射した光は、図８に示すように、集光シート２５に対して略垂直方向に向かうように集光されて、表面シート４０を照射する。このとき、遮光両面テープ６０は、ＬＥＤ２１から発光された光を遮るため、光源であるＬＥＤ２１の位置を隠す。また、遮光両面テープ６０は、前述したように、ＬＥＤ２１の間に生じる光が照射されていない暗部を隠す。
【００５８】
表面シート４０に照射された光は、非透過部４２で遮断され、透過部４１を通過する（図１参照）。このため、玩具用カード１は、図１に示すように、雷の模様部分である透過部４１の部分が発光する。このように構成された玩具用カード１は、電池が取り付けられることなく、面発光装置２０が発光することによって視覚的な演出効果が生じる。玩具用カード１は、電池が取り付けられていないため薄くて軽いうえに安全である。
【００５９】
〔本発明の実施の形態２〕
次に、本発明の実施の形態２を図面に基づいて詳細に説明する。なお、この実施の形態２の玩具用カード１０１は、前述した実施の形態１の玩具用カード１とほぼ同様の構成であるため、追加された拡散シート２６についてのみ説明をする。なお、本例の面発光装置１２０は、表面１２０ｆ側は発光するが、底面１２０ｂ側は発光しない片面発光型である。図９は、本発明の実施の形態２の玩具用カード１０１の内部を移動する光の軌跡を描いた説明図であり、実施の形態１の図８に相当する断面図である。
【００６０】
拡散シート２６は、導光シート２３から照射される光の均一性を向上させるためのシートである。拡散シート２６は、導光シート２３と集光シート２５との間に取り付けられている。拡散シート２６は、集光シート２５と同一の寸法で形成されており、幅寸法が約５３．０ｍｍ、縦寸法が９５．０ｍｍの大きさの略矩形形状に形成されている。拡散シート２６は、拡散コーティングされた半透明のポリエステルフィルム等から形成されている。
【００６１】
面発光装置１２０は、拡散シート２６が取り付けられているため、面発光装置２０と比較して、端部まで均一に明るさが保たれる。つまり、導光シート２３から拡散シート２６に光が照射されると、照射された光は四方八方へ拡散された後に、集光シート２５で集光される。このため、玩具用カード１０１は、玩具用カード１と比較して、均一な光が照射される。
【００６２】
なお、拡散シート２６は、照射された光を拡散すれば良く、拡散コーティングされたものに限らない。例えば、拡散シート２６は、表面又は底面に細かい凹凸が形成されて、照射された光を四方八方へ拡散するものでも良い。また、拡散シート２６は、乳白ガラスや白色塗装面のように、透明体に屈折率の異なる微粒子を混入して、照射された光を拡散するものでも良い。
【００６３】
〔本発明の実施の形態３〕
次に、本発明の実施の形態３を図面に基づいて詳細に説明する。なお、この実施の形態３の玩具用カード２０１は、前述した実施の形態１の玩具用カード１とほぼ同様の構成であるため、異なる構成である本体シート２１０と面発光装置２２０についてのみ説明をする。なお、本例の面発光装置２２０は、表面２２０ｆ側は発光するが、底面２２０ｂ側は発光しない片面発光型である。図１０は、本発明の実施の形態３の玩具用カード２０１の断面図であり、実施の形態１の図４に相当する断面図である。図１１は、玩具用カード２０１が分解された状態を示す外観図である。
【００６４】
〔本体シート２１０〕
本体シート２１０は、図１０に示すように、厚みを与える基礎部材として玩具用カード２０１の一部を構成する部位であり、合成樹脂で形成されている。本体シート２１０は、弾性変形可能な熱可塑性合成樹脂と熱可塑性エラストマーとを配合した組成物である。本例では、本体シート２１０は、ポリプロピレンと熱可塑性のオレフィン系エラストマーとを混合した合成樹脂の組成物である。本体シート２１０は、溶融した合成樹脂をシート状に押出成形によって押し出された樹脂シートが切り取られて形成されている。
【００６５】
本体シート２１０は、幅寸法が約５３ｍｍ、縦寸法が９５ｍｍ、肉厚が約２．０ｍｍの平板形状に形成されており、図１１に示すように、穴２１０ｈが形成されている。本体シート２１０は、穴２１０ｈが形成されることで、面発光装置２２０を嵌め込むことができる内形寸法の収納空間２１０ｓが区画されている。本例では、穴２１０ｈは、幅寸法が約４０．０ｍｍ、縦寸法が５０．０ｍｍの大きさで、本体シート２１０の表面側をくり抜くように有底の四角形形状に形成されている。穴２１０ｈは、ダイスとポンチを用いて、本体シート２１０の表面を押圧して形成されたものである。
【００６６】
〔面発光装置２２０〕
面発光装置２２０は、光源であるＬＥＤ２２１から発光された光を表面シート４０に効率よく照射するための装置である。面発光装置２２０は、図１０及び１１に示すように、本体シート２１０に区画されている収納空間２１０ｓに嵌め込まれている。本例において、面発光装置２２０は、幅寸法が約４０ｍｍ、縦寸法が５０ｍｍの大きさのものが使用される。図１０及び１１に示すように、面発光装置２２０は、ＬＥＤ２２１、基板２２２、導光シート２２３、反射シート２２４、集光シート２２５及びランプカバー２２７とから構成されている。
【００６７】
なお、ＬＥＤ２２１、基板２２２、導光シート２２３、反射シート２２４及び集光シート２２５は、実施の形態１のＬＥＤ２１、基板２２、導光シート２３、反射シート２４及び集光シート２５とほぼ同様の構成のため、これらの詳細な説明は省略する。ランプカバー２２７は、ＬＥＤ２２１から発光された光を遮って、光源であるＬＥＤ２２１の位置を視認しづらくするために設置されている。また、ランプカバー２２７は、アルミニウムで形成されており、ＬＥＤ２２１から発光された光を効率良く導光シート２２３へ入射させる。
【００６８】
ランプカバー２２７は、図１０及び１１に示すように、細長い板状の底部２２７ｂと、底部２２７ｂの２つの長辺に形成された平行な２枚の細長い板状の縁部２２７ｆとから形成されている。ランプカバー２２７は、図１１に示すように、溝形鋼のような形状に形成されている。ランプカバー２２７は、その底部２２７ｂの長手方向一端から他端にかけて基板２２２が取り付けられている。ＬＥＤ２２１は、図１１に示すように、基板２２２に所定の間隔で４個取り付けられ、図１０に示すように、２枚の縁部２２７ｆに上下を覆われるように設置されている。
【００６９】
図１０に示すように、ランプカバー２２７は、重ね合わせられている導光シート２２３、反射シート２２４及び集光シート２２５を挟み込んで保持している。面発光装置２２０は、押出成形後の未硬化状態の本体シート２１０にはめ込まれている。本体シート２１０とアンテナシート３０とは、押出成形後の未硬化状態の本体シート２１０に、アンテナシート３０を加圧して貼り合わせられている。本体シート２１０と表面シート４０とは、押出成形後の未硬化状態の本体シート２１０に、表面シート４０を加圧して貼り合わせられている。
【００７０】
未硬化状態の本体シート２１０は、例えば、約１５０℃〜１６０℃の温度の範囲内である。加圧された、アンテナシート３０、表面シート４０及び本体シート２１０は、密着状態になる。この密着状態で、本体シート２１０の温度が下がり完全に硬化すると、アンテナシート３０、本体シート２１０及び表面シート４０とが一体化する。このため、玩具用カード２０１は、接着剤等を必要とすることなく、本体シート２１０にアンテナシート３０及び表面シート４０を一体に貼り合わせて製造される。
【００７１】
本例においては、穴２１０ｈは、有底に形成されているが、貫通するように四角形形状の孔を形成しても良い。つまり、ダイスとポンチを用いて、本体シート２１０にせん断力を加えて貫通させた孔に面発光装置２２０をはめ込んでも良い。図１０及び１１に示すように、玩具用カード２０１には、玩具用カード１と同様に、裏面シート５０が接着等で貼り合わせられている。しかし、玩具用カード２０１の底面を装飾する必要がない場合には、裏面シート５０は貼り合わせなくても良いことはいうまでもない。
【００７２】
〔本発明の実施の形態４〕
次に、本発明の実施の形態４を図面に基づいて詳細に説明する。なお、この実施の形態４の玩具用カード３０１は、前述した実施の形態１の玩具用カード１とほぼ同様の構成であるため、面発光装置３２０についてのみ説明をする。なお、本例の面発光装置３２０は、表面３２０ｆ側は発光するが、底面３２０ｂ側は発光しない片面発光型である。図１２は、本発明の実施の形態４の玩具用カード３０１の断面図であり、実施の形態１の図４に相当する断面図である。図１３は、玩具用カード３０１が分解された状態を示す分解図である。図１４は、図１３に示す面発光装置３２０を分解された状態を示す分解図であり、実施の形態１の図７に相当する図である。
【００７３】
〔面発光装置３２０〕
面発光装置３２０は、光源であるＬＥＤ３２１から発光された光を表面シート４０に効率よく照射するための装置である。図１２乃至１４に示すように、面発光装置３２０は、ＬＥＤ３２１、導光シート３２３、反射シート３２４、集光シート３２５及びアンテナシート３２６とから構成されている。図１２及び１４に示すように、アンテナシート３２６の表面には、ＬＥＤ３２１が取り付けられた基板３２２が一体に形成されている。
【００７４】
基板３２２は、細長い板状に形成されており、図１４に示すように、アンテナシート３２６の一の端部に沿うように設置されている。基板３２２は、アンテナシート３２６に取り付けられている受電コイル３３１に直接電気的に接続されている。つまり、玩具用カード３０１は、面発光装置３２０にアンテナシート３２６が組み込まれ、アンテナシート３２６と基板３２２とが一体化されている。
【００７５】
このため、玩具用カード３０１は、受電コイル３３１と基板３２２の間に電気的に接続するための電源線を取り付ける必要がない。実施の形態４の玩具用カード３０１は、実施の形態１〜３の玩具用カード１、１０１、２０１と比較して、部品点数を減らすことができる。なお、面発光装置３２０は、図１４に示すように、上から集光シート３２５、導光シート３２３、反射シート３２４及びアンテナシート３２６の順番に積層されている。これに加えて、導光シート３２３と集光シート３２５との間に拡散シート２６を取り付けても良いことはいうまでもない。
【００７６】
〔本発明の実施の形態５〕
次に、本発明の実施の形態５を図面に基づいて詳細に説明する。実施の形態５の玩具用カード４０１は、前述した実施の形態３と４の玩具用カード２０１、３０１を組み合わせた構成である。図１５は、本発明の実施の形態５の玩具用カード４０１の断面図であり、実施の形態１の図４に相当する断面図である。
【００７７】
図１５に示すように、面発光装置４２０は、実施の形態３の面発光装置２２０と実施の形態４の面発光装置３２０とを組み合わせた構成である。つまり、面発光装置４２０は、ＬＥＤ４２１、導光シート４２３、反射シート４２４、集光シート４２５、アンテナシート４２６及びランプカバー４２７とから構成されている。このように構成された玩具用カード４０１は、実施の形態４の玩具用カード３０１と同様であり、受電コイル４３１と基板４２２の間に電気的に接続するための電源線を取り付ける必要がない。
【００７８】
本体シート４１０は、実施の形態３の本体シート２１０とほぼ同様であり、穴４１０ｈが形成されている。本体シート４１０は、穴４１０ｈが形成されていることで、収納空間４１０ｓが区画されている。面発光装置４２０は、図１５に示すように、本体シート４１０に区画されている収納空間４１０ｓに嵌め込まれている。本体シート４１０は、未硬化状態で表面シート４０と裏面シート５０に加圧して貼り合わせられている。加圧された、本体シート４１０、表面シート４０及び裏面シート５０は、密着状態になる。
【００７９】
この密着状態で、本体シート４１０の温度が下がり完全に硬化すると、本体シート４１０、表面シート４０及び裏面シート５０とが一体化する。面発光装置４２０は、実施の形態４の面発光装置３２０とほぼ同様であり、アンテナシート４２６が組み込まれており、アンテナシート４２６と基板４２２とが一体化されている。なお、本例の面発光装置４２０は、表面４２０ｆ側は発光するが、底面４２０ｂ側は発光しない片面発光型である。
【００８０】
玩具用カード４０１は、接着剤や粘着剤を必要とすることなく、本体シート４１０に表面シート４０及び裏面シート５０を一体に貼り合わせて製造される。また、玩具用カード４０１は、実施の形態１〜３の玩具用カード１、１０１、２０１と比較して、部品点数を減らすことができる。
【００８１】
〔本発明の実施の形態６〕
次に、本発明の実施の形態６を図面に基づいて詳細に説明する。図１６は、実施の形態６の玩具用カード５０１の表面を現わした図である。図１７は、玩具用カード５０１が分解された外観の状態を示す分解図である。図１８は、図１６をγ−γ線で切断して拡大した状態を示す拡大断面図である。図１９は、図１８のＲ１部分を拡大した一部拡大断面図である。図２０は、図１８のＲ２部分を拡大した一部拡大断面図である。
【００８２】
実施の形態６の玩具用カード５０１は、面発光装置５２０が、光を照射する対象となる印刷シート５４０の表面側に取り付けられている。これに対し、実施の形態１の玩具用カード１は、面発光装置２０が、光を照射する対象となる表面シート４０の底面に取り付けられている。つまり、実施の形態６の玩具用カード５０１は、面発光装置５２０が、印刷シート５４０の表面側から光を照射する点で、表面シート４０の底面側から光を照射する面発光装置２０と異なる。
【００８３】
また、面発光装置５２０は、実施の形態１の面発光装置２０と比較して、反射シート２４や集光シート２５を取り付けないで部品点数を減らして、簡素化されている点が異なる。このため、実施の形態１と同様の構成であるアンテナシート３０や裏面シート５０の詳細な説明は省略し、印刷シート５４０、面発光装置５２０及び遮光片面テープ５６０の説明をする。
【００８４】
〔印刷シート５４０〕
印刷シート５４０は、玩具用カード５０１の表面側を装飾するためのシートであり、コート紙等の紙で形成されている。印刷シート５４０は、図１７に示すように、面発光装置５２０の底面側に接着剤や粘着剤で貼り合わせられている。印刷シート５４０は、その幅寸法と縦寸法が面発光装置５２０と同一であり、面発光装置２０の底面全体を覆うように、貼り合わせられている。印刷シート５４０は、図１６及び１７に示すように、模様が記載されている。
【００８５】
印刷シート５４０は、実施の形態１の表面シート４０と異なり透過部４１が形成されていない。つまり、印刷シート５４０は、全体が光を透過しない部材で形成されている。本例においては、図１６及び１７に示すように、印刷シート５４０には、炎を纏うドラゴンの姿の模様が印刷されている。印刷シート５４０の炎の模様の部分は、例えばキラキラと光るホログラムで印刷されている。
【００８６】
〔面発光装置５２０〕
面発光装置５２０は、ＬＥＤ５２１、基板５２２及び透明導光シート５２３とから構成されている。ＬＥＤ５２１と基板５２２とは、ＬＥＤ２１と基板２２とほぼ同様の構成なので説明は、省略する。なお、本例の面発光装置５２０は、表面５２０ｆ側のみならず底面５２０ｂ側も発光する。つまり、面発光装置５２０は、片面発光型の実施の形態１の面発光装置２０と異なり、両面発光型である。透明導光シート５２３は、その側面に設置されたＬＥＤ５２１から発光された光を印刷シート５４０側へ照射するためのシートである。
【００８７】
透明導光シート５２３は、導光シート２３と同様に略矩形形状の透明なアクリル樹脂の平板から形成されている。図１９及び２０に示すように、透明導光シート５２３の表面には、透明導光シート５２３を平面光源化するためのドットパターンが形成されている。ドットパターンは、ＬＥＤ５２１から照射された光を印刷シート５４０側に反射して、透明導光シート５２３を平面光源化する。
【００８８】
本例において、ドットパターンは、射出成形で製造される透明導光シート５２３に一体のドット５２３ｄの集まりで形成されている。図１９及び２０に示すように、ドット５２３ｄは、透明導光シート５２３の表面から上方向側に突出するように形成された微細な半円球形状のレンズ型に形成されている。ドットパターンは、図１９に示すように、ＬＥＤ５２１に近い部分では、ドット５２３ｄが疎らになるように設置されている。また、ドットパターンは、図２０に示すように、ＬＥＤ５２１より離れた部分では、ドット５２３ｄが密になるように、設置されている。
【００８９】
〔遮光片面テープ５６０〕
遮光片面テープ５６０は、ＬＥＤ２１から発光された光を遮るための粘着テープである。遮光片面テープ５６０は、図１６及び１７に示すように、ＬＥＤ５２１の上方向側を覆うように形成されている。本例では、遮光片面テープ５６０の表面には、模様であるドラゴンについての説明が記載されている。遮光片面テープ５６０は、遮光両面テープ６０と比較して粘着剤が両面ではなく片面（底面）にのみ塗布されている点のみが異なるので、詳細な説明は省略する。
【００９０】
〔玩具用カード５０１の使用方法〕
次に、玩具用カード５０１の使用方法について図８に基づいて説明する。玩具用カード５０１は、実施の形態１の玩具用カード１と同様に、送電コイルに発生している交流磁界を利用して、接触又は非接触で電磁誘導現象によって発光する。ただし、実施の形態１の玩具用カード１と異なり、面発光装置５２０が、印刷シート５４０の表面側から光を照射しているので、その点についてのみ説明をする。
【００９１】
ＬＥＤ５２１は、実施の形態１の玩具用カード１と同様に交流磁界が発生しているゲームテーブルに近づけることで発光する。透明導光シート５２３の一の側面から入射した光は、透明導光シート５２３の内部で表面側と底面側に向かう。なお、面発光装置５２０は、実施の形態１の面発光装置２０と異なり反射シート２４を使用していないため、表面５２０ｆ及び底面５２０ｂが発光する。
【００９２】
透明導光シート５２３の表面側に照射された光は、ドットパターンで反射されて、印刷シート５４０の表面側に向かう。印刷シート５４０に照射された光は、印刷シート５４０で反射され、透明導光シート５２３の表面側に向かう。このように、ＬＥＤ５２１の光は、面発光装置５２０の内部で反射を繰り返すことで、面発光装置５２０の表面が前面にわたって面発光する。
【００９３】
このとき、遮光片面テープ５６０は、ＬＥＤ５２１から発光された光を遮るため、光源であるＬＥＤ５２１の位置を隠す。また、遮光片面テープ５６０は、前述したように、ＬＥＤ２１の間に生じる光が照射されていない暗部を隠す。面発光装置５２０より照射された光は、印刷シート５４０の表面全体に照射される。このため、玩具用カード５０１は、表面全体が発光し、特に炎の模様の部分のホログラムがキラキラと輝く。
【００９４】
〔本発明の実施の形態７〕
次に、本発明の実施の形態７を図面に基づいて詳細に説明する。図２１（ａ）は、玩具用カード６０１の表面を現わした図であり、図２１（ｂ）は、玩具用カード６０１を使用した状態を現わした図である。図２２は、図２１（ａ）をδ−δ線で切断して拡大した状態を示す拡大断面図である。図２３は、面発光装置６２０の底面の一部を拡大した状態を示す拡大図である。図２４は、図２３をε−ε線で切断した状態を示す断面図である。
【００９５】
実施の形態７の玩具用カード６０１は、玩具用カード１や玩具用カード５０１と比較して、模様が記載された表面シート４０や印刷シート５４０がなく、面発光装置６２０に模様が記載されている点が異なる。また、玩具用カード６０１は、実施の形態１〜５の玩具用カード１から５０１と比較して、光源が紫外線ＬＥＤ６２１である点が異なる。さらに、玩具用カード６０１は、実施の形態６の透明導光シート５２３に一体に形成されているドットパターンと比較して、ドットパターンが透明導光シート６２３に一体に形成されていない点が異なる。
【００９６】
このため、玩具用カード１から５０１とは異なる構成である紫外線ＬＥＤ６２１と、面発光装置６２０、ドットパターンについてのみ説明をする。なお、アンテナシート６３０は、アンテナシート３０等と同様なので詳細な説明は省略する。同様に、遮光片面テープ６６０は、紫外線ＬＥＤ６２１を隠すための粘着テープであり、遮光片面テープ５６０とほぼ同様なので詳細な説明は省略する。
【００９７】
〔面発光装置６２０〕
面発光装置６２０は、光源である紫外線ＬＥＤ６２１から発光された光を均一に面発光するための装置である。図２２に示すように、面発光装置６２０は、いわゆるエッジライト方式の発光装置であり、紫外線ＬＥＤ６２１、基板６２２、透明導光シート６２３とから構成されている。面発光装置６２０は、その表面に絵画、写真、図形、記号、文字及びキャラクターその他の模様が記載又は現わされている。本例において、面発光装置６２０に記載又は現わされている模様は、数種類の模様部６４０である。
【００９８】
〔紫外線ＬＥＤ６２１〕
紫外線ＬＥＤ６２１は、面発光装置６２０の光源であり、人の目ではほとんど見えない不可視光である紫外線を発光する紫外線発光ダイオードである。紫外線ＬＥＤ６２１は、電力供給量、電力供給間隔又は電力供給時間等を変化させることにより、点灯、消灯、点滅又は調光をすることができる。
【００９９】
基板６２２は、図２２に示すように、透明導光シート６２３の一の側面に沿うように設置されている。紫外線ＬＥＤ６２１は、透明導光シート６２３の一の側面と向かいあうように基板６２２に設置されている。基板６２２は、電源線等でアンテナシート６３０に取り付けられた受電コイル６３１に接続されている（図示せず）。
【０１００】
〔透明導光シート６２３〕
透明導光シート６２３は、その側面に設置された紫外線ＬＥＤ６２１から発光された光を表面６２３ｆ側へ照射するためのシートである。透明導光シート６２３は、導光シート２３と同様に略矩形形状の透明なアクリル樹脂の平板から形成されている。図２３及び２４に示すように、面発光装置６２０の底面６２３ｂには、面発光装置６２０を平面光源化するためのドットパターンが形成されている。
【０１０１】
ドットパターンは、紫外線ＬＥＤ６２１から照射された光を面発光装置６２０の表面６２３ｆ側に反射して、面発光装置６２０を平面光源化するパターンである。本例において、ドットパターンは、複数のドット６２３ｄと複数の接続部６２３ｃとから構成されている。ドット６２３ｄ及び接続部６２３ｃは、シルク印刷により蛍光インキが印刷されて形成されている。ドット６２３ｄは、シルク印刷によって印刷されることにより、射出成形で一体に形成されるドット５２３ｄと比較して安価に形成することができる。
【０１０２】
図２３及び図２４に示すように、ドット６２３ｄは、透明導光シート６２３の底面６２３ｂから下方向側に突出するように形成された微細な半円球形状のレンズ型に形成されている。接続部６２３ｃは、一のドット６２３ｄと他のドット６２３ｄとを繋ぐ部材である。ドット６２３ｄは、接続部６２３ｃで繋げられることで、光の反射効率が良くなる。本例においては、図２３に示すように１つのドット６２３ｄを中心として、その上下左右に４つのドット６２３ｄが接続部６２３ｃに繋がれている。
【０１０３】
本実施の形態において、ドットパターンは、ドット６２３ｄと接続部６２３ｃをシルク印刷により印刷することにより形成されている。しかし、蛍光インキに限らず、発光インキ及び蓄光インキを印刷して形成しても良いことは言うまでもない。蓄光インキで印刷した場合は、電力の供給がなくなっても光が残っているため動いているように見える。
【０１０４】
〔模様部６４０〕
本例において模様部６４０は、図２１に示すように、可視模様部６４１、透明模様部６４２と不可視模様部６４３とがある。
〔可視模様部６４１〕
可視模様部６４１は、面発光装置６２０の表面６２３ｆに印刷されている模様であり、光が透過しないカラーインキを用いて、スクリーン印刷で印刷されている。本例において、可視模様部６４１は、ドラゴンの姿がスクリーン印刷で印刷されているが、他の印刷方法でも良く、フレキソ印刷、インクジェット印刷、グラビア印刷及び、オフセット印刷等でも良い。
【０１０５】
〔透明模様部６４２〕
透明模様部６４２は、面発光装置６２０に着脱自在に貼ることができるポリプロピレン製のシールであり、その模様に応じて透過部６４２ｔと着色部６４２ｐとから形成されている。透過部６４２ｔは、光を透過する透明の部位であり、着色部６４２ｐは、光が透過するとともに光の色を変える部位である。透明模様部６４２は、星形状が記載された部分が着色部６４２ｐであり、他の部分が透過部６４２ｔである。着色部６４２ｐは、光が透過するカラーインキを用いて、スクリーン印刷で印刷されている。
【０１０６】
〔不可視模様部６４３〕
図２１に示すように、透明導光シート６２３は、その表面６２３ｆに不可視インキで印刷された不可視模様部６４３が記載されている。不可視インキは、塗った時点、もしくは少し時間をおいた後に見えなくなる物質を使ったインキであり、紫外線を照射すると蛍光に発光するインキである。不可視模様部６４３は、透明導光シート６２３の表面６２３ｆに、ドラゴンの吐く炎をかたどった模様であり、不可視インキを用いてスクリーン印刷で印刷されている。
【０１０７】
本例において、不可視模様部６４３は、スクリーン印刷で印刷されているが、他の印刷方法でも良く、フレキソ印刷、インクジェット印刷、グラビア印刷及び、オフセット印刷等でも良い。なお、不可視模様部６４３は、透明なシールに不可視インキで印刷をしたものを用いても良い。
【０１０８】
〔点灯ＬＥＤ６５０〕
点灯ＬＥＤ６５０は、可視光を発光する発光ダイオードである。図２１（ａ）に示すように、点灯ＬＥＤ６５０は、面発光装置６２０に２つの貫通孔を開け、それらにはめ込まれている。本例の点灯ＬＥＤ６５０は、赤、緑、青の３色の発光素子から構成されており、１つで複数の色を発光できる一灯多色タイプのものである。
【０１０９】
点灯ＬＥＤ６５０は、電力供給量、電力供給間隔又は電力供給時間等を変化させることにより、点灯、消灯、点滅又は調光をすることができる。また、点灯ＬＥＤ６５０は、発光させる発光素子を変化させることにより、発光する光の色を変化させる調色をすることできる。点灯ＬＥＤ６５０は、電源線等でアンテナシート６３０に取り付けられた受電コイル６３１に接続されている（図示せず）。
【０１１０】
〔玩具用カード６０１の使用方法〕
図２１（ａ）に示すように、不可視模様部６４３は、紫外線ＬＥＤ６２１が発光していない状態では、目で見ることはほぼできない。玩具用カード６０１を、ゲームテーブルに発生した交流磁界に近づけると、受電コイル６３１に交流電圧が発生し、紫外線ＬＥＤ６２１及び点灯ＬＥＤ６５０が発光する。紫外線ＬＥＤ６２１から発光された紫外線は、透明導光シート６２３の内部で反射を繰り返し、透明導光シート６２３の表面６２３ｆが全面にわたって発光する。
【０１１１】
面発光装置６２０の表面から発光される紫外線は、可視模様部６４１で遮断され、透過部６４２ｔ、着色部６４２ｐを透過する。面発光装置６２０の表面から発光される紫外線は、不可視模様部６４３に照射され、図２１（ｂ）に示すように、不可視模様部６４３が蛍光に発光する。面発光装置６２０の表面から照射される紫外線は、人の目ではほとんど見えないため、不可視模様部６４３の部分のみが発光して見える。
【０１１２】
特に暗い場所では、透明な面発光装置６２０も見え辛くなるため、不可視模様部６４３の部分のみが浮き出るように発光して見える。このように構成された玩具用カード６０１は、面発光装置６２０の不可視模様部６４３の部分のみが面発光して見えることによって、点光源とは異なる視覚的な演出効果が生じる。
【０１１３】
本例において、紫外線ＬＥＤ６２１は、紫外線を発光する紫外線ＬＥＤ６２１で説明を行なったが、人の目でほとんど見えない不可視光を発光する他の照明でもよい。例えば、赤外線を発光するブラックライトでもよい。不可視模様部６４３は、紫外線が照射されると蛍光に発光する不可視インキを使用しているが、他の不可視光が照射されると発光するインキで印刷されても良い。例えば、赤外線が照射される発光するインキで印刷されていても良い。また、面発光装置６２０は、紫外線を発光する紫外線ＬＥＤ６２１のみが設置されているが、可視光を発光するＬＥＤ２１と組み合わせても良い。
【０１１４】
以上、本発明の種々の実施の形態を説明したが、本発明は、この実施の形態に限定されることはない。本発明の目的、趣旨を逸脱しない範囲内での変更が可能なことはいうまでもない。本例において、非接触電力供給手段として、送電コイルに電流を流すと発生する磁束を媒介して受電コイル３１に電力が発生する電磁誘導方式を用いている。しかし、この方式に限定されることはなく、非接触電力供給手段として、電波受信方式又は共鳴方式を用いても良いことはいうまでもない。
【０１１５】
実施の形態１及び４で使用される遮光両面テープ６０は、遮光の機能と粘着の機能を両方持ち合わせている。しかし、表面シート４０と面発光装置２０を貼り合わせる部材と、面発光装置２０より発光される光を遮る部材を別々に設けても良いことはいうまでもない。表面シート４０又は裏面シート５０に記載又は現わされた模様や説明等は、他のいかなる印刷方法で印刷されたものでも良い。例えば、グラビア輪転印刷機、オフセット輪転印刷機等によって印刷されていると良い。
【０１１６】
本例において、例えば面発光装置２０は、導光シート２３の側面に光源としてＬＥＤ２１を設置し、面光源化するいわゆるエッジライト方式を使用している。しかし、面光源化する方式は、エッジライト方式のに限らず、タンデム方式や有機ＥＬを使用した平面光源方式を使用しても良い。また、玩具用カード１の厚さについて考慮する必要がないのであれば、面発光装置２０を直下方式で面光源化しても良い。さらに、エッジライト方式にこだわらなければ、面発光装置２０の側面ではなく、その中心等に貫通孔を開けそこにＬＥＤ２１を設置しても良い。
【０１１７】
なお、玩具用カード１、１０１、２０１、３０１、４０１、５０１及び６０１には、制御部、メモリ部、クロック再生部、受信復調部、送信変調部等を設置しても良い。これにより、送電コイル側のメモリ部や制御部とデータの送受信を行ったり、このデータに基づいて演算を行い、その演算結果に基づいて面発光装置２０等を点滅させても良い。例えば、本例においては、表面シート４０には、魔法使いが雷の魔法を使う模様が記載されているため、雷の模様の部分が点滅することで、より迫力が増し、視覚的な演出効果が向上する。また、玩具用カード６０１の点灯ＬＥＤ６５０をキラキラと点滅させることで、より迫力が増し、視覚的な演出効果が向上する。
【符号の説明】
【０１１８】
１        ：玩具用カード
２０      ：面発光装置
２１      ：ＬＥＤ
２２      ：基板
２３      ：導光シート
２４      ：反射シート
２５      ：集光シート
２６      ：拡散シート
３０      ：アンテナシート
３１      ：受電コイル
４０      ：表面シート
４１      ：透過部
４２      ：非透過部
５０      ：裏面シート
６０      ：遮光両面テープ
１０１    ：玩具用カード
１２０    ：面発光装置
２０１    ：玩具用カード
２１０    ：本体シート
２２０    ：面発光装置
２２１    ：ＬＥＤ
２２２    ：基板
２２３    ：導光シート
２２４    ：反射シート
２２５    ：集光シート
２２７    ：ランプカバー
３０１    ：玩具用カード
３２０    ：面発光装置
３２１    ：ＬＥＤ
３２２    ：基板
３２３    ：導光シート
３２４    ：反射シート
３２５    ：集光シート
３２６    ：アンテナシート
３３１    ：受電コイル
４０１    ：玩具用カード
４１０    ：本体シート
４２０    ：面発光装置
４２１    ：ＬＥＤ
４２２    ：基板
４２３    ：導光シート
４２４    ：反射シート
４２５    ：集光シート
４２６    ：アンテナシート
４２７    ：ランプカバー
４３１    ：受電コイル
５０１    ：玩具用カード
５２０    ：面発光装置
５２１    ：ＬＥＤ
５２２    ：基板
５２３    ：透明導光シート
５２３ｄ  ：ドット
５４０    ：印刷シート
５６０    ：遮光片面テープ
６０１    ：玩具用カード
６２０    ：面発光装置
６２１    ：紫外線ＬＥＤ
６２２    ：基板
６２３    ：透明導光シート
６３０    ：アンテナシート
６３１    ：受電コイル
６４０    ：模様部
６４１    ：可視模様部
６４２    ：透明模様部
６４３    ：不可視模様部
６５０    ：点灯ＬＥＤ
６６０    ：遮光片面テープ
【図１】
2016030216.tif 000003
【図２】
2016030216.tif 000004
【図３】
2016030216.tif 000005
【図４】
2016030216.tif 000006
【図５】
2016030216.tif 000007
【図６】
2016030216.tif 000008
【図７】
2016030216.tif 000009
【図８】
2016030216.tif 000010
【図９】
2016030216.tif 000011
【図１０】
2016030216.tif 000012
【図１１】
2016030216.tif 000013
【図１２】
2016030216.tif 000014
【図１３】
2016030216.tif 000015
【図１４】
2016030216.tif 000016
【図１５】
2016030216.tif 000017
【図１８】
2016030216.tif 000018
【図１９】
2016030216.tif 000019
【図２０】
2016030216.tif 000020
【図２１】
2016030216.tif 000021
【図２２】
2016030216.tif 000022
【図２３】
2016030216.tif 000023
【図２４】
2016030216.tif 000024
【図１６】
2016030216.tif 000025
【図１７】
2016030216.tif 000026